(57)【要約】【課題】使用時に、風洞部２を握っている指先が、吹出部４側へずれるのを規制して、常に適正なグリップ位置を維持して快適に使用できる温風乾燥機を提供する。【解決手段】グリップを兼ねる下半側の風洞部２と、吹出口１７が開口している上半側の吹出部４とで本体ケース１を構成する。風洞部２の内部には送風ファン７、モーター８、ヒーターユニット９などを収容する。吹出口１７に隣接する風洞部２側のケース外面には、指が吹出部４側へ向かって滑り移動するのを規制する膨出部６２を設ける。膨出部６２は吹出部４側へ向かって上り傾斜する状態で形成しており、その外面に、指先の移動を阻止する規制リブ７５を形成してある。【選択図】図１
2005177155.tif 000002
【特許請求の範囲】
【請求項１】
中空筒状の本体ケース（１）が、グリップを兼ねる下半側の風洞部（２）と、本体ケース（１）の中心軸と交差する向きの吹出口（１７）が開口している上半側の吹出部（４）とで構成されており、風洞部（２）の内部に、送風ファン（７）と、モーター（８）と、ヒーターユニット（９）とが収容されている温風乾燥機であって、
吹出口（１７）に隣接する風洞部（２）側のケース外面に、指が吹出部（４）側へ向かって滑り移動するのを規制する膨出部（６２）を、吹出部（４）側へ向かって上り傾斜する状態で形成してある温風乾燥機。
【請求項２】
膨出部（６２）の外面に、指先の移動を阻止する規制リブ（７５）が本体ケース（１）の中心軸と交差する向きに形成されている請求項１記載の温風乾燥機。
【請求項３】
吹出口（１７）に臨む風洞部（２）の周壁上端に上装着部（６５）が形成され、上装着部（６５）の外面に外膨らみ状の規制ピース（６３）が固定されており、
膨出部（６２）が、上装着部（６５）と規制ピース（６３）との内外二重の壁で形成されている請求項１または２記載の温風乾燥機。
【請求項４】
本体ケース（１）が、吹出口（１７）の左右中心を通る分割線で分割された左右ケース（１Ｌ）・（１Ｒ）で形成されており、
左右ケース（１Ｌ）・（１Ｒ）の接合縁（Ｓ）の外面が、規制ピース（６３）で覆われている請求項３記載の温風乾燥機。
【請求項５】
風洞部（２）の前面における左右ケース（１Ｌ）・（１Ｒ）の接合縁（Ｓ）の外面が、規制ピース（６３）と、本体ケース（１）に固定した化粧パネル（６４）とで覆われている請求項４記載の温風乾燥機。
【請求項６】
化粧パネル（６４）と規制ピース（６３）との隣接部分において、規制ピース（６３）が化粧パネル（６４）の外面に重なる状態で、左右ケース（１Ｌ）・（１Ｒ）の接合縁（Ｓ）の外面を覆っている請求項４または５記載の温風乾燥機。
【請求項７】
吹出口（１７）の周囲の装着面（３９）と、装着面（３９）に接合されるブラシユニット（３）との間に、ブラシユニット（３）を分離不能に固定保持するロックピース（５０）が設けられており、
装着面（３９）に装着されてロックピース（５０）で固定保持したブラシユニット（３）は、装着面（３９）から離れる向きに移動付勢されており、
ロックピース（５０）は、ブラシユニット（３）の左右側壁の内面に設けた係合凹部（５１）に係合するロック爪（５２）と、ロック爪（５２）を係合解除操作する解除ノブ（５３）とを含み、
ロックピース（５０）の全体は、ロック爪（５２）が係合凹部（５１）と係合する向きにばね（５４）で移動付勢されており、
ロック爪（５２）と係合凹部（５１）との係合を解除した状態において、ブラシユニット（３）は装着面（３９）から分離して第１解除位置に保持されており、
ロック爪（５２）の上端にブラシユニット（３）を分離操作する傾斜カム（５５）が形成されており、
ロック位置へ向かってばね（５４）で復帰操作されるロックピース（５０）の移動動作を利用して、ブラシユニット（３）を傾斜カム（５５）で第１解除位置から第２解除位置まで分離操作できる請求項１から６のいずれかに記載の温風乾燥機。
【請求項８】
吹出部（４）の内部に、昇圧用のトランス（２８）と、放電電極（２７）を含むイオン発生装置とが配置されており、
ロックピース（５０）が、トランス（２８）の左右両側に配置されている請求項７記載の温風乾燥機。
【請求項９】
ブラシユニット（３）が、一群のブリッスル（４０）が植設してあるベース（４１）と、ベース（４１）を嵌め込み装着するためのブラシ枠（４２）とを含み、
ブラシ枠（４２）および規制ピース（６３）が、本体ケース（１）の色とは異なる同系の色に着色してある請求項７または８記載の温風乾燥機。
【請求項１０】
吹出口（１７）の周囲の装着面（３９）と、装着面（３９）に接合されるブラシユニット（３）の接合面とに、互いに凹凸係合して乾燥風の漏れ出しを防止するリブ（５９）と、溝（５８）とが形成されている請求項７または８または９記載の温風乾燥機。
【発明の詳細な説明】
【技術分野】
【０００１】
本発明は、ヘアードライヤーやヘアーブロッサーなどに代表される筒構造の温風乾燥機に関する。
【背景技術】
【０００２】
本発明の温風乾燥機に関して、その基本構造は特許文献１にみることができる。そこでは、グリップを兼ねる下半側の風洞部と、ブラシユニットが装着される上半側の吹出部とで本体ケースを構成している。風洞部の内部には送風ファンと、モーターと、ヒーターユニットなどが配置してある。吹出部の側面には、グリルで覆われる吹出口が開口しており、その内部にイオン発生装置が組み込んである。先のブラシユニットは、グリルの外面に着脱自在に装着される。
【０００３】
【特許文献１】特開２００３−２８４６０９号公報（段落番号００２６、図４）
【発明の開示】
【発明が解決しようとする課題】
【０００４】
この種の筒構造の温風乾燥機においては、風洞部のケース周面を片手で握り締めて、ブラシユニットで髪を梳き流しながら髪乾燥を行う。このとき、吹出部に近い側を握るほど、ブラシユニットによる髪の梳き流し操作を軽快に行える。しかも、風洞部の筒壁が、吹出部へ向かって先すぼまり状に形成してあるので、握り締める位置が吹出部側へ偏る傾向がある。
【０００５】
そのため、例えば髪の梳き流し状況やスタイリングに気をとられるなど、注意力が散漫になると、無意識のうちに操作しやすい吹出部の近傍を握り締めていることが多く、極端な場合には、ブラシユニットの周面部分を握っていることもありうる。因みに、風洞部と吹出部とが隣接する壁部分は、ヒーターで加熱された直後の温風によって加熱されており、短時間触れた程度で火傷を起こすことはないものの、熱さを感じさせるには充分な温度状態になっていることがある。
【０００６】
この種の温風乾燥機では、二分割された前後ケース、あるいは左右ケースを蓋合わせ状に接合して、筒構造の本体ケースを形成している。そのため、送風ファンで加圧された乾燥風の一部が、ケース接合面や、ブラシユニットの接合面から漏れ出やすい。各接合面をパッキン等でシールするのは至極簡単ではあるが、シール構造を構成するのにコストが掛かりすぎる。
【０００７】
本発明の目的は、使用者の注意力が髪のスタイリングなどに向けられているような場合であっても、指先が吹出部側へ極端にずれるのを規制して、常に快適に使用できる温風乾燥機を提供することにある。本発明の目的は、送風ファンで加圧された乾燥風の一部が、ケース接合面や、ブラシユニットの接合面から漏れ出るのを防止して、乾燥風の送給ロスを抑止できる温風乾燥機を提供することにある。
【課題を解決するための手段】
【０００８】
本発明の温風乾燥機においては、中空筒状の本体ケース１が、グリップを兼ねる下半側の風洞部２と、本体ケース１の中心軸と交差する向きの吹出口１７が開口している上半側の吹出部４とで構成されている。風洞部２の内部には、送風ファン７と、モーター８と、ヒーターユニット９とが収容してある。吹出口１７に隣接する風洞部２側のケース外面には、指が吹出部４側へ向かって滑り移動するのを規制する膨出部６２を有し、この膨出部６２は吹出部４側へ向かって上り傾斜する状態で形成されている（請求項１）。
【０００９】
膨出部６２の外面には、指先の移動を阻止する規制リブ７５を本体ケース１の中心軸と交差する向きに形成する（請求項２）。
【００１０】
吹出口１７に臨む風洞部２の周壁上端には上装着部６５を形成し、上装着部６５の外面に外膨らみ状の規制ピース６３を固定し、膨出部６２を上装着部６５と規制ピース６３との内外二重の壁で形成することができる（請求項３）。
【００１１】
本体ケース１は、吹出口１７の左右中心を通る分割線で分割された左右ケース１Ｌ・１Ｒで形成し、左右ケース１Ｌ・１Ｒの接合縁Ｓの外面を規制ピース６３で覆うことができる（請求項４）。
【００１２】
風洞部２の前面における左右ケース１Ｌ・１Ｒの接合縁Ｓの外面は、規制ピース６３と、本体ケース１に固定した化粧パネル６４とで覆うことができる（請求項５）。
【００１３】
化粧パネル６４と規制ピース６３との隣接部分において、規制ピース６３が化粧パネル６４の外面に重なる状態で、左右ケース１Ｌ・１Ｒの接合縁Ｓの外面を覆うようにする（請求項６）。
【００１４】
吹出口１７の周囲の装着面３９と、装着面３９に接合されるブラシユニット３との間には、ブラシユニット３を分離不能に固定保持するロックピース５０を設け、装着面３９に装着されてロックピース５０で固定保持したブラシユニット３は、装着面３９から離れる向きに移動付勢する。そして、ロックピース５０は、ブラシユニット３の左右側壁の内面に設けた係合凹部５１に係合するロック爪５２と、ロック爪５２を係合解除操作する解除ノブ５３とを含み、ロックピース５０の全体は、ロック爪５２が係合凹部５１と係合する向きにばね５４で移動付勢し、ロック爪５２と係合凹部５１との係合を解除した状態において、ブラシユニット３は装着面３９から分離して第１解除位置に保持する。ロック爪５２の上端にはブラシユニット３を分離操作する傾斜カム５５を形成し、ロック位置へ向かってばね５４で復帰操作されるロックピース５０の移動動作を利用して、ブラシユニット３を傾斜カム５５で第１解除位置から第２解除位置まで分離操作する（請求項７）。
【００１５】
吹出部４の内部に、昇圧用のトランス２８と、放電電極２７を含むイオン発生装置とを配置する。ロックピース５０を、トランス２８の左右両側に配置することができる（請求項８）。
【００１６】
ブラシユニット３は、一群のブリッスル４０が植設されたベース４１と、ベース４１を嵌め込み装着するためのブラシ枠４２とを含み、ブラシ枠４２および規制ピース６３を、本体ケース１の色とは異なる同系の色に着色することができる（請求項９）。
【００１７】
吹出口１７の周囲の装着面３９と、装着面３９に接合されるブラシユニット３の接合面とには、互いに凹凸係合して乾燥風の漏れ出しを防止するリブ５９と溝５８とを形成することができる（請求項１０）。
【発明の効果】
【００１８】
本発明の温風乾燥機においては、図１に示すように、吹出口１７に隣接する風洞部２側のケース外面に膨出部６２を設け、風洞部２を握っている指先が吹出部４側へ向かって滑り移動するのを膨出部６２で受け止めることにより、それ以上指先が移動するのを規制するので、使用者の注意力が髪のスタイリングなどに向けられているような場合であっても、指先が吹出部４側へずれ動くのを確実に防止できる。膨出部６２が吹出部４側へ向かって上り傾斜状に形成されているので、膨出部６２の突出量が増加する分だけ指先の移動抵抗を徐々に増やして、指先の移動を規制することになり、無意識のうちに指先が吹出部４側へ滑り移動するのを確実に防止でき、常に快適に使用できる温風乾燥機が得られる（請求項１）。
【００１９】
膨出部６２の外面に規制リブ７５を付加した温風乾燥機によれば、膨出部６２を乗り越えて吹出部４側へ滑り移動しようとする指先を、規制リブ７５で受け止めて移動規制できるので、指先が吹出部４側へずれ動くのをさらに確実に防止できる。規制リブ７５に触ったときの指の感触で、指先が風洞部２と吹出部４との隣接境界付近に位置していることを認識させ、規制リブ７５を越えると熱い思いをするかも知れないことを暗に警告し、使用者の注意を喚起できる利点もある。規制リブ７５が本体ケース１の中心軸と交差する向きに形成してあると、吹出部４側へ移動しようとする指先を、規制リブ７５で適確に、しかも広い範囲にわたって受け止めることができ、指先の滑り移動をさらに確実に阻止できる（請求項２）。
【００２０】
図１３および図１４において膨出部６２が、上装着部６５と、上装着部６５に装着される外膨らみ状の規制ピース６３とで内外二重の壁として形成されていると、上装着部６５から膨出部６２の表面に向かう熱を、上装着部６５と規制ピース６３とで二重に遮断できるので、ヒーターユニット９を通過した直後の熱風によって膨出部６２の表面温度が高くなるのを阻止でき、長時間にわたって髪の乾燥を行うような場合でも、膨出部６２を低い温度状態に維持できる（請求項３）。
【００２１】
左右ケース１Ｌ・１Ｒの接合縁Ｓの外面が規制ピース６３で覆われていると、接合縁Ｓから漏れ出ようとする乾燥風を規制ピース６３で受け止めて、乾燥風の一部が本体ケース１の外面に排出されるのを防止できる分だけ乾燥風の送給ロスを抑止できる（請求項４）。
【００２２】
風洞部２の前面における左右ケース１Ｌ・１Ｒの接合縁Ｓの外面が、規制ピース６３と化粧パネル６４とで覆われていると、風洞部２の前面に臨む接合縁Ｓから乾燥風が漏れ出るのを、規制ピース６３と化粧パネル６４とが協同して防止できるので、乾燥風の送給ロスをさらに抑止して、温風乾燥機の送風効率をさらに向上できる。乾燥風の漏れ出しを防止できるので、接合縁Ｓから漏れ出た乾燥風が風洞部２を握っている手に当ることで、使用者に違和感を感じさせ、あるいは温風乾燥機の品質に疑念を抱かせることも同時に解消できる（請求項５）。
【００２３】
図１３において規制ピース６３を化粧パネル６４の外面に重なる状態で配置して、両者６３・６４の隣接部分を重合壁によって塞ぐと、例えば規制ピース６３と化粧パネル６４とを単に隣接させる場合に比べて、乾燥風の漏れ出しを効果的に防止でき、別途シール材などを使用する必要がない点でも有利である（請求項６）。
【００２４】
装着面３９に接合したブラシユニット３を、ロックピース５０で分離不能に固定保持できるようにしたうえで、ロックピース５０をロック解除操作した状態では、ブラシユニット３が装着面３９から浮き離れて第１解除位置に保持され、ロックピース５０の解除ノブ５３の押し込み操作を開放した状態では、ロック爪５２に設けた傾斜カム５５でブラシユニット３を第１解除位置から第２解除位置まで分離操作できるようにした温風乾燥機によれば、ロックピース５０をロック解除操作するだけの単純な操作で、ブラシユニット３を装着面３９から簡単に取り外すことができ、その清掃や洗浄を行う際の手間を軽減できる。また、ブラシユニット３を装着面３９に再装着する場合には、ブラシユニット３を位置決めしたのち、装着面３９に向かって押し込み操作するだけで、ブラシユニット３をロックピース５０でロック保持できるので、装着に要する手間も軽減できる（請求項７）。
【００２５】
吹出部４の内部の通風路から隔離されたトランス２８の左右両側にロックピース５０を配置すると、ロックピース５０が吹出部４の内部を吹き抜ける熱風に晒されるのを防止して、とくに解除ノブ５３が高温になるのを解消できる。したがって、長時間にわたって髪を乾燥した直後であっても、熱い思いをすることもなく解除ノブ５３を押し込んでロック解除操作できる（請求項８）。
【００２６】
ブラシユニット３のブラシ枠４２と規制ピース６３とが、本体ケース１の色とは異なる同系の色に着色されていると、本体ケース１に固定された規制ピース６３を目印にしてブラシユニット３を装着面３９に接合でき、規制ピース６３によってブラシユニット３の装着方向を明確化できる。しかも、装着状態においては、ブラシユニット３と規制ピース６３が連続して、あたかも同一部品であるような印象を与えることができるので、ブラシユニット３と本体ケース１との一体感が強調され、外観上の見かけがすっきりしたものになる（請求項９）。
【００２７】
装着面３９とブラシユニット３の接合面とに、リブ５９と溝５８とを形成し、ブラシユニット３を装着面３９に装着した状態において、リブ５９と溝５８とを互いに凹凸係合させてあると、リブ５９と溝５８との係合構造によって乾燥風の漏れ出しを効果的に阻止でき、その分だけ乾燥風を効果的に吹き出し送給できる。リブ５９と溝５８とが係合することで、ブラシユニット３の装着姿勢を常に適正な状態に維持でき、落下衝撃などを受けるような場合にもブラシユニット３がずれ動くのを規制できる（請求項１０）。
【発明を実施するための最良の形態】
【００２８】
図１ないし図１４は本発明に係る温風乾燥機をヘアードライヤーに適用した実施例を示す。図１ないし図３において、ヘアードライヤーは中空筒状の本体ケース１を備えている。本体ケース１は、後述する吹出口１７の左右中心を通る分割線で分割した左ケース１Ｌと右ケース１Ｒとを接合して構成してあり、グリップを兼ねる下半側の風洞部２と、ブラシユニット３が装着される上半側の吹出部４とを備えている。風洞部２の一側面の上部には、ヘアードライヤーの運転状態を切り換えるスイッチノブ５が設けてある。
【００２９】
図３において風洞部２の内部には、乾燥風を生起する送風ファン７と、送風ファン７を回転駆動するモーター８と、ヒーターユニット９とが、下側から順に直線列状に配置してある。送風ファン７は、風洞部２の下端に設けた吸込口１０から吸い込んだ空気を加圧して、ヒーターユニット９を介して吹出部４へ送給する。
【００３０】
ヒーターユニット９は、十文字状に組んだ絶縁枠にニクロム線１２を螺旋状に巻き付け、その外周を金属薄板で形成した風洞筒１３で覆って構成してあり、風洞筒１３内を通過する乾燥風を加熱して温風を生成する。スイッチノブ５と対向する風洞筒１３の周面は平坦壁１３ａで形成してあり（図４参照）、この平坦壁１３ａとスイッチノブ５との間に確保された冷風通路には、スイッチ１４と後述する回路基板２９とが配置してある。図７に示すように、スイッチ１４をスイッチノブ５で切り換え操作することにより、ヒーターユニット９への通電状態を冷風、低温風、高温風の各状態に切り換えることができる。
【００３１】
図５において、吹出部４の前面壁の殆どは吹出口１７として開口しており、吹出口１７の全体は本体ケース１に組み込んだ吹出グリル１８によって覆われている。吹出グリル１８は、外突状の湾曲面からなる前壁１９と左右一対の側壁２０とを含む樋体状に形成した耐熱プラスチック材製の成形品からなり、前壁１９に２個のイオン送出口２１と、乾燥風の送出口２２の一群とを開口してある。イオン送出口２１は丸穴で形成し、送出口２２は上下に長いスリットで形成した。
【００３２】
熱風を送出しながら乾燥を行うとき、吹出グリル１８が加熱され、その熱によって素手では触れない温度にまで本体ケース１が加熱されることがある。このような異常加熱を避けるために、図６に示すように、吹出グリル１８の側壁２０は内側壁２０ａと外側壁２０ｂとで内外二重に構成してある。
【００３３】
吹出部４に設けた吹出グリル１８の内部には、マイナスイオンを生成するためのイオン発生装置と、イオン発生装置を支持するホルダー２５と、内ケース２６とを配置してある。図７および図８においてイオン発生装置は、高電圧発生部と２個の放電電極２７とで構成する。高電圧発生部は、整流回路、パルス発生回路、および昇圧用のトランス２８とからなり、整流回路とパルス発生回路を構成する電気部品は、回路基板２９にひとまとめに実装してある。
【００３４】
図８においてホルダー２５は、後面が開口する角箱状の第１装填部３２と、第１装填部３２の下側に突設される上下に長い第２装填部３３とを一体に形成した耐熱プラスチック材製の成形品からなる。第１装填部３２にトランス２８を嵌め込み装填し、第２装填部３３に設けた上下のボスに放電電極２７を組み付ける。図７において放電電極２７は、ボスの中央に固定される針状の中央電極２７ａと、ボスの周囲に嵌め込み固定されるリング状の周囲電極２７ｂと、ボスの内面に固定した絶縁筒３４とで構成する。
【００３５】
内ケース２６は、前面が開口する樋体状の耐熱プラスチック材製の成形品からなり、その内面上部に第２装填部３３を接合するための支持枠３６が突設されている。図８に示すように内ケース２６の内面上端には、乾燥風を吹出グリル１８の側へ向かって変向案内するガイド壁３７が斜めに形成されている。
【００３６】
放電電極２７およびトランス２８が組み込まれたホルダー２５を内ケース２６に接合し、さらに吹出グリル１８を第１装填部３２に被せ付けるようにして内ケース２６に接合したうえで、これら三者をビス３８で締結することにより、吹出グリル１８とホルダー２５と内ケース２６との三者を一体化して１個の放電ユニットとして取り扱うことができる。ユニット化された三者間には、乾燥風の通路が区画される。図示していないが、吹出グリル１８と内ケース２６とは、両者の下端一側においてもビスで締結してある。
【００３７】
上記のように吹出グリル１８、ホルダー２５、内ケース２６の三者をユニット化した状態において、上下の放電電極２７は吹出グリル１８のイオン送出口２１と正対している（図６参照）。風洞筒１３から送出された乾燥風は、吹出グリル１８と内ケース２６とが対向する区画に入り込み、支持枠３６および第２装填部３３で左右に分けられながらガイド壁３７で変向案内されて、吹出グリル１８の送出口２２およびイオン送出口２１から吹き出る。このとき、放電電極２７で生成されたマイナスイオンが乾燥風とともに吹き出される。
【００３８】
吹出口１７の周囲は装着面３９になっており、この装着面３９にブラシユニット３を着脱可能に装着し、両者３・３９間にブラシユニット３を分離不能に固定保持する左右一対のロックピース５０が設けられている（図５参照）。ブラシユニット３を装着面３９に装着した状態では、髪のカールやくせ付けに適したヘアーブロッサーとして使用することができ、ブラシユニット３を取り外した状態では、専ら髪乾燥を行うヘアードライヤーとして使用できる。
【００３９】
図５、図８、図９においてブラシユニット３は一群のブリッスル４０が植設してあるゴム製のベース４１と、ベース４１が嵌め込み装填されるブラシ枠４２と、ブラシ枠４２の内面側に装着されてベース４１を内側から支え保持する内枠４３とで構成されている。ベース４１および内枠４３には、それぞれ乾燥風の送出口４４の一群と、上下２個のイオン送出口４５とを開口してある。ブラシ枠４２の下部には三日月状の吹出口４６が開口しており、その下側に後述する連結枠６８に係合する連結片４７が形成してある。連結片４７の断面形状は部分円弧状に形成してある。
【００４０】
乾燥風の送出口４４は上下に長いスリットで形成し、イオン送出口４５は卵形の出口ピース４８に設けた円形の開口で形成する。図６に示すように、出口ピース４８は内枠４３に係合固定される。ブラシユニット３を本体ケース１の装着部に装着した状態において、イオン送出口４５は吹出グリル１８のイオン送出口２１と正対している。髪を乾燥するとき、多数個の送出口４４が髪で塞がれて、ブラシユニット３の内面に温風が滞留することがある。このような温風の滞留を防止するために吹出口４６を設け、滞留する温風を吹出口４６から放出することにより、ブラシユニット３の温度が異常に上昇するのを防止できるようにしている。
【００４１】
図９および図１０においてロックピース５０は、ブラシ枠４２の左右側壁の内面に設けた係合凹部５１と係合するロック爪５２と、本体ケース１で出没可能に案内支持される解除ノブ５３とを一体に備えたプラスチック成形品からなり、解除ノブ５３とホルダー２５との間に配置した圧縮コイル型のばね５４で、ロック爪５２が係合凹部５１と係合する向きに移動付勢されている。ロック爪５２の上端には、ブラシユニット３を開放操作する傾斜カム５５が形成してある。その機能は後述する。
【００４２】
図９において左右のロックピース５０は、吹出グリル１８の内部の通風路から隔離されたトランス２８の両側面に面して配置する。ロックピース５０が吹出グリル１８の内部を吹抜ける熱風に晒されて高温になるのを防ぐためである。
【００４３】
図１１においてブラシユニット３は、連結片４７を後述する連結枠６８に差し込み係合した状態で、ブラシ枠４２の接合周面を装着面３９に密着接合する。ブラシユニット３の接合動作に伴って、ロックピース５０がばね５４に抗してロック解除方向へ移動操作されるので、ロック爪５２は係合凹部５１に自動的に落ち込み係合して、図９に示すようにブラシユニット３を接合姿勢に保持する。このとき、連結片４７は僅かに弾性変形して、ブラシユニット３の全体を装着面３９から分離する向きの弾性力を発揮する。
【００４４】
図１０（ａ）に示すように、解除ノブ５３を押し込んで、ロック爪５２と係合凹部５１との係合を解除すると、ブラシユニット３は連結片４７を中心にして開放揺動し、装着面３９から離れて第１解除位置に保持される。この状態で、解除ノブ５３の押込力を開放すると、ロックピース５０はばね５４で押し戻されて外側方へ移動する。同時に図１０（ｂ）に示すように、傾斜カム５５が係合凹部５１の下側に設けた係合案内面５６に接して、ブラシユニット３を第２解除位置まで開放操作する。このように、ロックピース５０のロック解除操作と同時にブラシユニット３を強制的に分離させると、ブラシユニット３を本体ケース１から簡単に取り外すことができるうえ、ブラシユニット３が適正に装着されていないことを目視によって確認できるので、ロックピース５０のロックが解除された状態のままでブラシユニット３が使用されるのを確実に防止できる。
【００４５】
ブラシユニット３を装着面３９に密着接合した状態において、ブラシ枠４２と装着面３９との間から乾燥風が漏れでるのを防ぐために、図６に示すように装着面３９の周縁に沿って溝５８を形成し、内枠４３の接合面に溝５８と係合するリブ５９を設けてある。図５に示すように、これらの溝５８およびリブ５９は、左右ケース１Ｌ・１Ｒの接合縁Ｓと、ロックピース５０の配置位置を除く装着面３９のほぼ全域にわたって設けてある。
【００４６】
上記構成のヘアードライヤーにおいて、風洞部２を握る指が吹出部４側へ滑り移動するのを規制するために、吹出口１７に隣接する風洞部２側のケース外面には、吹出部４側へ向かって上り傾斜する膨出部６２が形成されている。図１および図２において膨出部６２は、本体ケース１に装着した規制ピース６３で構成してあり、その下側に隣接して上下に長い化粧パネル６４が配置してある。
【００４７】
図１２において規制ピース６３および化粧パネル６４を係合固定するために、吹出口１７に臨む風洞部２の周壁上端に規制ピース６３用の上装着部６５を凹み形成し、その下側に化粧パネル６４用の下装着部６６を凹み形成した。上装着部６５には、アーチ状の連結枠６８と、規制ピース６３を固定するための３個の係合穴６９とが形成してある。両装着部６５・６６の隣接部分と、下装着部６６の上下中途部には、化粧パネル６４を固定するための４個の係合穴７０を形成してある。左右のケース１Ｌ・１Ｒは、両装着部６５・６６に設けたねじボス７１（図１２および図１４参照）と、先の装着面３９の上端中央に設けたねじボス７２（図５参照）との３箇所をビス７３で締結することにより分離不能に固定される。上装着部６５に設けた連結枠６８は、ブラシユニット３の連結片４７を差し込み係合するために設けてある。
【００４８】
図１２に示すように、規制ピース６３は外膨らみ状に湾曲する爪形状のプラスチック成形品からなり、その外面上部に指先の移動を阻止する規制リブ７５が本体ケース１の中心軸と直交する向きに膨出形成されており、内面に係合穴６９と係合する３個の脚片７６が突設してある。これらの脚片７６を係合穴６９に圧嵌係合して、規制ピース６３を上装着部６５に装着固定することにより、膨出部６２を上装着部６５と規制ピース６３との内外二重の壁で構成できる。これにより、風洞部２から送給される熱風によって規制ピース６３（膨出部６２）の表面温度が高くなるのを阻止できる。図１３および図１４において規制ピース６３と上装着部６５とは、規制ピース６３の周縁部分のみで接合しており、両者５１・５３の殆どの部分は隙間を介して内外に対向している。このように、両者５１・５３の間に隙間があることも、規制ピース６３（膨出部６２）の表面温度が高温になるのを防ぐことに役立っている。
【００４９】
化粧パネル６４は両側縁が上すぼまり状に形成された樋状のプラスチック成形品からなり、下凹み状に形成される上縁の左右と、左右側縁の上下中途部の４箇所に、係合穴７０と係合する４個の脚片７７を突設してある。化粧パネル６４を下装着部６６に接合して、各脚片７７を係合穴７０に係合固定した状態において、化粧パネル６４の外面は本体ケース１の外面に滑らかに連続している。化粧パネル６４は透明のプラスチック材で成形するが、その内面に塗装を施して不透明な着色層７８を形成してある（図１３参照）。このように、内面に不透明な着色層７８を形成した化粧パネル６４によれば、透明なパネル壁を介して着色層７８を見ることになるので、深みのある呈色状態が得られる。
【００５０】
以上のように、風洞部２の前面において左右ケース１Ｌ・１Ｒの接合縁Ｓを規制ピース６３と化粧パネル６４とで覆うと、乾燥風が接合縁Ｓから漏れ出るのを規制して乾燥風の送給ロスを減少でき、その分だけ送風効率を向上できる。因みに、規制ピース６３の下半周縁と化粧パネル６４の上縁とは、規制ピース６３の側が化粧パネル６４の外面に重なる状態で、斜めの接合面７９を介して内外に重なっており（図１３参照）、これによって、規制ピース６３と化粧パネル６４との隣接縁から乾燥風が漏れ出るのを規制できる。
【００５１】
ブラシユニット３の装着方向を明確化し、さらに装着状態におけるブラシユニット３と本体ケース１との一体感を強調するために、ブラシ枠４２と規制ピース６３とは同じ色に着色してあり、この色は本体ケース１の色とは異なっている。例えば、本体ケース１が銀灰色であるとき、ブラシ枠４２と規制ピース６３とは黒色に着色する。
【００５２】
上記の実施例では、風洞部２と吹出部４とが一体に形成してある場合について説明したが、吹出部４が風洞部２に対して着脱自在に装着できる構造でもよい。その場合には両者２・４をコネクターを介して電気的に接続する。溝５８は内枠４３側に設け、リブ５９は装着面３９に設けることができる。規制リブ７５は複数個設けることができ、突起の一群を水平列状に並べて規制リブ７５に代えることができる。規制ピース６３の表面を梨地や凹凸面で形成して規制リブ７５に代えることができる。
【００５３】
ブラシユニット３は本体ケース１に組み込んだばねで、装着面３９から離れる向きに移動付勢することができる。必要があれば、規制ピース６３は、化粧パネル６４、あるいは本体ケース１と一体に形成することができる。因みに、外膨らみ状に形成される規制ピース６３は、風洞部２の他の部分に比べて突出しているので、例えば落下衝撃を受けて破損したり、脚片７６が折れたりしやすい。しかし、実施例で説明したように、規制ピース６３を独立した部品として構成しておけば、破損した場合でも規制ピース６３のみを交換すればよく、規制ピース６３が化粧パネル６４と一体に形成してある場合に比べて、交換費用が少なくて済む。膨出部６２の横断面形状は、部分円弧状である必要はなく、台形状や多角形状であってもよい。
【図面の簡単な説明】
【００５４】
【図１】ヘアードライヤーの右側面図である。
【図２】ヘアードライヤーの正面図である。
【図３】ヘアードライヤーの縦断側面図である。
【図４】ヘアードライヤーの分解正面図である。
【図５】ブラシユニットを分離した状態の正面図である。
【図６】図２におけるＡ−Ａ線断面図である。
【図７】イオン発生装置を概念的に示す説明図である。
【図８】吹出部の縦断側面図である。
【図９】図２におけるＢ−Ｂ線断面図である。
【図１０】ロックピースの動作を示す断面図である。
【図１１】ブラシユニットの取付態様を示す側面図である。
【図１２】規制ピースおよび化粧パネルを分離した風洞部の正面図である。
【図１３】規制ピースの取付構造を示す縦断側面図である。
【図１４】図２におけるＣ−Ｃ線断面図である。
【符号の説明】
【００５５】
１  本体ケース
２  風洞部
３  ブラシユニット
４  吹出部
７  送風ファン
８  モーター
９  ヒーターユニット
１７  吹出口
２７  放電電極
２８  トランス
３９  装着面
４０  ブリッスル
４１  ベース
４２  ブラシ枠
５０  ロックピース
５１  係合凹部
５２  ロック爪
５３  解除ノブ
５４  ばね
５５  傾斜カム
５８  溝
５９  リブ
６２  膨出部
６３  規制ピース
６４  化粧パネル
６５  上装着部
７５  規制リブ
【図１】
2005177155.tif 000003
【図２】
2005177155.tif 000004
【図３】
2005177155.tif 000005
【図４】
2005177155.tif 000006
【図５】
2005177155.tif 000007
【図６】
2005177155.tif 000008
【図７】
2005177155.tif 000009
【図８】
2005177155.tif 000010
【図９】
2005177155.tif 000011
【図１０】
2005177155.tif 000012
【図１１】
2005177155.tif 000013
【図１２】
2005177155.tif 000014
【図１３】
2005177155.tif 000015
【図１４】
2005177155.tif 000016